Podtech/llm-jp-corpus-v4-ja_patent huggingface dataset:
(57)【要約】      （修正有）【課題】壁などに留めつけた場合、抜けにくく、下地の損傷を少なくした画鋲を提供する。【解決手段】画鋲を、壁などに留めつけた場合、抜けにくくするために鋲の部分をらせん状ｇにし、また、留めつける場合、下地に、損傷を少なくするために、外部構造の押し込み部分ａと内部側に凹凸型のらせん状溝を有する円柱型のケーシング部分ｂと、内部構造部分で円柱状の外部側に凹凸型のらせん状溝を有する部分ｃと、先端部分の鋲部とで構成され、押し込み部分を押すことでお互いの、らせん状の凹凸形状溝によりかみ合うことで、回転が生じ鋲部分に連動し挿入し易くなる。【選択図】図１
0003182723.tif 000002
【実用新案登録請求の範囲】
【請求項１】
画鋲の鋲部分を、らせん状にすることで引き抜きにくくし留めつけたものを、外れにくくする、画鋲。
【請求項２】
画鋲本体は二つのパーツからなり、押し込み部分が円筒状のケーシングと一体となる部分と、先端の鋲部分と押し込み部内部の円柱部とが一体となる部分との構成からなり、お互いに接する部分が微細な隙間により絶縁されているが凹凸形状のらせん状のかみ合わせ溝により接合され、又内部に押し込み余裕中空部分があり、鋲を留めつける際、押すことで、らせん状鋲の鋲部分に回転を生ずることと、らせん状のかみ合わせ溝による回転を生じることで、下地へ留めつけることができ、抜けにくくすることができる、請求工１に記した、画鋲。
【請求項３】
物を留めつけた後、引き抜く場合は、押し込み部分外側のケーシング部分をつまみ回転を固定して引き抜くことで、押し込み部分内部のらせん状鋲の鋲部分が一体となっている部分とが、お互いの接する凹凸形状のらせん状のかみ合わせ溝により挿入時とは逆回転を生じることで、壁の損傷を少なくし引き抜くことの出来る、請求工１から２の、画鋲。
【請求項４】
鋲先端部分が、直線部分である、請求工１から３の、画鋲。
【請求項５】
鋲部分が、らせん状の矢じり形状のもある、請求工１から４の、画鋲。
【考案の詳細な説明】
【技術分野】
【０００１】  画鋲を抜けにくくするために、らせん状の鋲（らせん状の、矢じり形状もあり）にし、又、内部構造を、頭部を押すことで回転しながら一体となった、らせん状鋲が、回転し刺さることで、下地を、なるべく損傷を抑えながら留め付ける、抜けにくい画鋲を提供する。
【背景技術】
【０００２】  元来画鋲とは、下地へ刺さる部分は、直線の鋲である、抜けにくくするために、らせん状の鋲にし、又、内部構造も回転しながら一体となり刺さることで、下地を、なるべく損傷を抑えながら留め付ける、抜けにくい画鋲を提供する。【０００３】
【先行技術文献】
【特許文献】
【０００４】
【特許文献１】実登３１７０３２７号
【考案の概要】
【考案が解決しようとする課題】
【０００５】  画鋲を、壁などに留めつけた場合い、抜けにくくし、下地の損傷を少なくする。
【課題を解決するための手段】
【０００６】  解決しようとする問題点は、画鋲を、壁などに留めつけた場合い、抜けにくくするために鋲の部分をらせん状（らせん状の、矢じり形状もあり）にし、留めつける場合、下地に、損傷を少なくするために、２種類のパーツからなる、外部構造の押し込み部分と内部側に凹凸型のらせん状溝を有する円柱型のケーシング部分と、内部構造部分で円柱状の外部側に凹凸型のらせん状溝を有する部分と、先端部分の鋲部とで構成され、押し込み部分を押すことでお互いの、らせん状の凹凸形状溝によりかみ合うことで、回転が生じ鋲部分に連動し挿入し易くなる。
【考案の効果】  鋲部分を、らせん状（らせん状の、矢じり形状もあり）にすることで引き抜き強度が増した。
【図面の簡単な説明】
【０００７】
【図１】使用状況の縦方向中央部の断面説明図である。
【図２】らせん状内部、凹凸部の横方向の断面図である。
【図３】らせん状の、矢じり形状の、姿図及び断面図である。
【考案を実施するための形態】
【０００８】  最近の、住宅建築に使用される内部壁材は、軟質系の石膏ボード類を、使用するため画鋲が効きにくい、そのために、らせん状の鋲（らせん状の矢じり形状もあり）にすることで引き抜き強度が増し、抜きにくくなる、鋲部分が、らせん状であるため、なるべく、ゆっくり押し込み、又引き抜く、壁の損傷を少なくするために、２種類のパーツからなる内部の円柱部のらせん状溝のお互いのかみ合わせにより回転を生じる構造になっていることで、らせん状鋲の壁材への抵抗を軽減することができる。
【０００９】
【符号の説明】
【０００１０】ａ，  内部中空、空間構造を有する押し込み部分と、内部側らせん状の凹凸型溝を有する部分［押し込み余裕部分、（ａ）は範囲を示す］
ｂ、押し込み部分と一体となる、内側がらせん状の凹凸型溝を有する、外部構造のケーシング部分
ｃ、もう一つの絶縁された、ケーシング内部の押すことにより回転を生ずる、外側がらせん状の凹凸型溝を有する、内部構造の円柱コマ部分
ｄ、らせん状の鋲部分、先端部分は、直線部分あり
ｅ、回転を生ずる、らせん状の凹状の溝部分
ｆ、回転を生ずる、らせん状の凸型状の突起部分
ｇ、鋲部分が、らせん状の矢じり形状の場合（破線部分あり）
【図１】
0003182723.tif 000003
【図２】
0003182723.tif 000004
【図３】
0003182723.tif 000005
【手続補正書】
【提出日】平成25年1月18日(2013.1.18)
【手続補正１】
【補正対象書類名】実用新案登録請求の範囲
【補正対象項目名】全文
【補正方法】変更
【補正の内容】
【実用新案登録請求の範囲】
【請求項１】
画鋲の鋲部分を、らせん状にすることで引き抜きにくくし留めつけたものを、外れにくくする、画鋲。
【請求項２】
画鋲本体は二つのパーツからなり、押し込み部分が円筒状のケーシングと一体となる部分と、先端の鋲部分と押し込み部内部の円柱部とが一体となる部分との構成からなり、お互いに接する部分が微細な隙間により絶縁されているが凹凸形状のらせん状のかみ合わせ溝により接合され、又内部に押し込み余裕中空部分があり、鋲を留めつける際、押すことで、らせん状鋲の鋲部分に回転を生ずることと、らせん状のかみ合わせ溝による回転を生じることで、下地へ留めつけることができ、抜けにくくすることができる、請求項１に記した、画鋲。
【請求項３】
物を留めつけた後、引き抜く場合は、押し込み部分外側のケーシング部分をつまみ回転を固定して引き抜くことで、押し込み部分内部のらせん状鋲の鋲部分が一体となっている部分とが、お互いの接する凹凸形状のらせん状のかみ合わせ溝により挿入時とは逆回転を生じることで、壁の損傷を少なくし引き抜くことの出来る、請求項１または２記載の、画鋲。
【請求項４】
鋲先端部分が、直線部分である、請求項１〜３のいずれか一項に記載の、画鋲。
【請求項５】
鋲部分が、らせん状の矢じり形状である、請求項１〜４のいずれか一項に記載の、画鋲。
(57)【要約】      （修正有）【課題】一般的にある土嚢スタンドは、鉄製の重いものや、アルミ製の割と軽量タイプのものまであるが、そのほとんどは、完成品であり、運ぶ際にもスペースをとるタイプとなっている。そこで、防災時、日常使用時での運搬容易性、経済性を考え、軽量かつ組立式として、いつでも、どこでも携帯出来るようにした土嚢スタンドを提供する。【解決手段】ジャバラ形状の樹脂製菅３からなるアームと、複数本の円筒型の脚部２とを備え、脚部とアームとをチーズ部分で繋ぎ、アームをチーズ部分１にネジ４で固定したことを特徴として組立式土嚢スタンドを構成する。【選択図】図２
0003182730.tif 000002
【実用新案登録請求の範囲】
【請求項１】
土嚢スタンドを組立式とする考案である。
【請求項２】
上部円形アーム部分をジャバラ式形状として、自由に曲がる構造としたものである。
【考案の詳細な説明】
【技術分野】
【０００１】
土嚢袋に土砂などを詰める時に、一人で作業ができるように、土嚢袋を、ひとり立ちさせる為の装着用スタンドであるが、携帯、利便性を考えて軽量、組立式としたものである。
【背景技術】
【０００２】
一般的にある土嚢スタンドは、鉄製の重いものや、アルミ製の割と軽量タイプのものまであるが、そのほとんどは、完成品であり、運ぶ際にもスペースをとるタイプとなっている。
【先行技術文献】
【特許文献】
【０００３】
【特許文献１】特開２００３−２６７３３０
【考案の概要】
【考案が解決しようとする課題】
【０００４】
一般的にある土嚢スタンドは、鉄製の重いものや、アルミ製の割と軽量タイプのものまであるが、そのほとんどは、完成品であり、運ぶ際にもスペースをとるタイプとなっている。そこで、防災時、日用使用時の運搬容易性、経済性を考え、軽量かつ組立式として、いつでも、どこでも携帯出来るように考案したものである
【課題を解決するための手段】
【０００５】
運搬容易性や、経済性の向上をはかるため、土嚢スタンドの部品をそれぞれ分離して、組立用パーツとしてパッケージ化して提供することで、容易に運搬、携帯が出来るようになる。そして、現地などで、組み立て可能な組立型としたものである。
【考案の効果】
【０００６】
土嚢スタンドを組立型とすることによって、容易に運搬が出来るようになり、防災時や、日常においても、容易に使用することが出来、経済性も向上する。
【図面の簡単な説明】
【０００７】
【図１】組立式土嚢スタンドを組立した後の完成図である。
【図２】図１を説明する為に符号を付けた図である。
【図３】組立部品の一覧を符号を付けて示した図である。
【図４】部品をパッケージとして包んでいる図である。
【図５】組立後の上から見た平面図である。
【図６】組立後の横から見た立面図である。
【図７】組立完成ごに、土嚢を装着した図である。
【考案を実施するための形態】
【０００８】
各部品をチーズに繋ぐことによって、土嚢スタンドの形が出来上がり、最後にネジで固定することで、アームと足の安定性が増し、完成となる。
【実施例】
【０００９】
図７で示すように、組立完成後は、図１の上部円形を形成しているジャバラのアームに沿って、土嚢袋の口を装着して、紐部を絞って土嚢袋への土砂入れが出来るようになる。
【産業上の利用可能性】
【００１０】
土嚢袋スタンドを組立式とすることによって、運搬が用意となり、輸送コストの点でも経済的利点がある。又、防災緊急時や日常での使用においての利便性も向上するので、産業の発展に寄与すると考える。
【符号の説明】
【００１１】
符号１は、構成している部品の中の、脚部とアームを繋ぐチーズ部分である。符号２は、チーズに繋ぐ円筒型の脚部（パイプ）である。符号３は、アームを構成するジャバラ形状の樹脂製菅（中空）である。符号４は、アーム部分を個定するための、ネジである。
【図１】
0003182730.tif 000003
【図２】
0003182730.tif 000004
【図３】
0003182730.tif 000005
【図４】
0003182730.tif 000006
【図５】
0003182730.tif 000007
【図６】
0003182730.tif 000008
【図７】
0003182730.tif 000009
【手続補正書】
【提出日】平成25年2月5日(2013.2.5)
【手続補正１】
【補正対象書類名】実用新案登録請求の範囲
【補正対象項目名】全文
【補正方法】変更
【補正の内容】
【実用新案登録請求の範囲】
【請求項１】
ジャバラ形状の樹脂製菅からなるアームと、複数本の円筒型の脚部とを備え、
脚部とアームとをチーズ部分で繋ぎ、アームをチーズ部分にネジで固定したこと
を特徴とする組立式土嚢スタンド。
(57)【要約】      （修正有）【課題】ノートに書いた文章、図、絵等を、ノート用紙を汚さず添削することができるように、またノート用紙を容易に切り離しできるように、フィルムとノート用紙をリング等に交互に綴じたノートを提供する。【解決手段】ノート用紙１と透明フィルム２をリング３に交互に綴じることを特徴とし、これによりノート用紙に記載されているものを添削するとき、透明フィルムに添削内容を記載し、ノート用紙が汚れることを防ぐことができる。【選択図】図１
0003182721.tif 000002
【実用新案登録請求の範囲】
【請求項１】
フィルムとノート用紙を交互に綴じたノートであって、ノート用紙を切り離し可能にするためにリング等によって綴じることを特徴とするフィルムとノート用紙を交互に綴じたノート。
【請求項２】
前記フィルムは、透明で筆記具により記載可能な塩化ビニール等の素材でできていることを特徴とする請求項１に記載のフィルムとノート用紙を交互に綴じたノート。
【請求項３】
前記ノート用紙は、表側には罫線があり裏側は白紙のノート用紙であって、フィルムを罫線側、白紙側の両方で使用できることを特徴とする請求項１又は請求項２に記載のフィルムとノート用紙を交互に綴じたノート。
【請求項４】
前記リングは、金属又はプラスチック等の素材でできており、ノート用紙を容易に破り、切り離し可能なリングを設けたことを特徴とする請求項１から請求項３までのいずれか１項に記載のフィルムとノート用紙を交互に綴じたノート。
【考案の詳細な説明】
【技術分野】
【０００１】  この考案は、ノートの各用紙に上から文字等を記載できるように透明フィルムとノート用紙を交互に綴じたノートに関するものである。
【背景技術】
【０００２】  従来のノートは、紙のみで構成されたものであった。
【考案の概要】
【考案が解決しようとする課題】
【０００３】  これは、ノート用紙に記載されたものを添削する為に文字等を書き込むと、そのノート用紙は提出することができなくなるという欠点があった。
【課題を解決するための手段】
【０００４】  表側には罫線があり裏側は白紙のノート用紙（１）と筆記具により記載可能な透明フィルム（２）をリング（３）に交互に綴じる。
リングからノート用紙を破り、切り離すことができる。
本考案は、以上の構成よりなるフィルムとノート用紙を交互に綴じたノートである。
【考案の効果】
【０００５】  ノート用紙と透明フィルムを交互に綴じれば、ノート用紙に記載されているものを添削するとき、透明フィルムに添削内容を記載し、ノート用紙が汚れることを防ぐことができる。且つノート用紙は、リングから破り切り離すことができるので、そのノート用紙を提出することができる。また、ノート用紙は表側には罫線があり裏側は白紙であるので、透明フィルムをノート用紙の白紙の上で使用したり、ノート用紙の罫線の上で使用したりと両方で使用することができる。
【図面の簡単な説明】
【０００６】
【図１】ノートを開いた状態での全体斜視図である。
【図２】ノートを上から見た拡大図である。
【考案を実施するための形態】
【０００７】  以下、本考案を実施するための形態について説明する。
表側には罫線があり裏側は白紙のノート用紙（１）と筆記具により記載可能な塩化ビニール等でできた透明フィルム（２）を金属、プラスチック等の素材でできたリング（３）に交互に綴じる。
本考案は、以上のような構造である。
【符号の説明】
【０００８】１  ノート用紙
２  フィルム
３  リング
【図１】
0003182721.tif 000003
【図２】
0003182721.tif 000004
(57)【要約】      （修正有）【課題】光をユニットの前面・背面に同等に拡散する事が可能になり、１光源あたりの照射範囲が広範囲となる両面照射が可能なＬＥＤランプユニットを提供する。【解決手段】両面照射ＬＥＤランプユニット１は、ユニットの両端の内側２箇所または上下左右の内側４箇所にＬＥＤの光源２と凸面状のリフレクタ３を照射面に対して鉛直に配置している。これにより、片側の光源からのほぼ直進の光は、反対側の凸面状リフレクタにより広範囲に反射する。この光はランプユニット１の前面・背面に拡散する。ＬＥＤの実装面（リフレクタ−を兼ねる）３の周りは全て中空であり、そのもので放熱をおこなっているため、ヒートシンクを必要としない。なお、リフレクタは凸状の曲面とし、形状と長さは、適切な光の反射が行われるように調整を計る。また、電源に関しては、ユニットの数に対して適切な電力が供給されるものとする。【選択図】図１
0003182727.tif 000002
【実用新案登録請求の範囲】
【請求項１】
上下左右の内側に、発光ダイオード（ＬＥＤ）と凸面のリフレクタを、照射面と鉛直に配置した、両面照射が可能なＬＥＤランプのユニット。
【考案の詳細な説明】
【技術分野】
【０００１】  本考案は、発光ダイオード（以下ＬＥＤ）を用いた照明ランプに関する。
【背景技術】
【０００２】  従来のＬＥＤを用いた照明ランプの多くは、ＬＥＤ光源を実装した反射面（以下リフレクタ）を照射方向に対面する位置に配置していた。リフレクタは、ＬＥＤ光源実装部分の背面、または側面に配置していた。（特３９２９８８５、特４０３７８５７等  ）
【先行技術文献】
【特許文献】
【０００３】
【特許文献１】  特許番号  ３９２９８８５
【０００４】
【特許文献２】  特許番号  ４０３７８５７
【考案の開示】
【考案が解決しようとする課題】
【０００５】  しかし、ＬＥＤ光源の実装部分の背面は全く照射できず、さらに、ＬＥＤそのものの点光源性・光の直進性の為に、照射角は広くても１２０°程度以下に狭くなり、照射部分と照射されない部分の差が大きくなってしまい、広範囲を照射するのには不利となる。【０００６】  また、面光源性・光の拡散を得るために、発光ダイオードを多数使用する事になり、蛍光灯に比べて高価な物になり、放熱の処理も必要であり、省電力性も犠牲になっている。また、ＬＥＤ実装面が反射面のほぼ全面にわたるため、空間が少なく、放熱の為のヒートシンクも必要となり、その結果、重量も増加してしまう。【０００７】    ランプの光源面の前面に対して、電灯器具側においてリフレクタを設置して、ランプの背面を照射する考案（特公２０１１−９６６１４、登実３１５５０４２）もあるが、ランプそのものの放熱の対策・重量の軽量化への対策にはなっていない。また、この場合、逆に前面の照射が阻害されてしまう。
ランプ管内において、ＬＥＤ光源実装面を、角度をつけて配置する事で照射範囲を広げる考案（登実３１５３２７８）もあるが、背面の照射は出来ず、また、ＬＥＤが多数必要であり、放熱の対策・重量の軽量化の効果はない。【０００８】  ランプ管の両端に発光ダイオードの光源を配置する考案（登実３１３５２５６）も存在するが、この場合、長尺方向に長くなると、その中央部分での十分な照度を得られない為、短いもの以外現在ほとんど製品化されていない。【０００９】  現時点では、本案考案者による、全周照射直管型ＬＥＤランプのみが、唯一、全周照射を可能にしている。（登実３１７２８０６、３１７２９８１）【００１０】  通常の天井照明などであれば、照射方向は前面のみで十分であるが、特に屋外における両面型の看板の内部照明用ランプにおいては、背面にも前面と同じだけの光量の照射が必要となり、これをこれまでのＬＥＤ型のランプで可能にするには、前面・背面の両面にそれぞれランプを取り付ける必要がある。
このため、価格的にも高価になり、省電力性も犠牲になり、重量も重くなる。
【先行技術文献】
【特許文献】
【００１１】
【特許文献３】  特許公開  ２０１１−９６６１４号  広報
【００１２】
【特許文献４】  登録実用新案  ３１５５０４２
【００１３】
【特許文献５】  登録実用新案  ３１５３２７８
【００１４】
【特許文献６】  登録実用新案  ３１３５２５６
【００１５】
【特許文献７】  登録実用新案  ３１７２８０６
【００１６】
【特許文献７】  登録実用新案  ３１７２９８１
【課題を解決する手段】
【００１７】  そこで、ＬＥＤ光源２個または４個と凸面状のリフレクタを配置する小型のＬＥＤ照明ランプ（図１−１）のユニットを考案した。ユニットの両端の内側２箇所または上下左右の内側４箇所のＬＥＤ光源およびリフレクタは、照射面に対して鉛直に配置されており、ＬＥＤからの光を、その正面及び側面にある凸面状のリフレクタでの反射によって、ユニットの前面及び背面に拡散し照射せしめるものである。なお、各ＬＥＤ光源はリフレクタの中心からずらして、互いにオフセットの位置に配置する事でさらに拡散性を向上させる。
【考案の効果】
【００１８】  この事により、光をユニットの前面・背面に同等に拡散する事が可能になり、１光源あたりの照射範囲が従来のものよりも格段に広範囲となる。よって、使用する発光ダイオードの数を減らす事が可能になり、経済性・省電力性に貢献する事が可能になる。また、各ＬＥＤ光源とリフレクタの回りは全て中空であるので、放熱性も非常に良く、軽量化も図られる。
【考案を実施するための最良の形態】
【００１９】  本考案に係る両面照射ＬＥＤランプユニット１は、図１に示すように、ユニットの両端の内側２箇所または上下左右の内側４箇所にＬＥＤの光源２と凸面状のリフレクタ３を照射面に対して鉛直に配置している。これにより、片側の光源からのほぼ直進の光は、反対側の凸面状リフレクタにより広範囲に反射する。この光はランプユニット１の前面・背面に拡散する。ＬＥＤの実装面（リフレクタ−を兼ねる）３の周りは全て中空であり、そのもので放熱をおこなっているため、ヒートシンクを必要としない。なお、リフレクタは凸状の曲面とし、形状と長さは、適切な光の反射が行われるように調整を計る。
また、電源に関しては、ユニットの数に対して適切な電力が供給されるものとする。
【図面の簡単な説明】
【００２０】
【図１】  本考案に係る両面照射ＬＥＤランプユニット４灯タイプの斜め投影図である。（電気回路部分は省略している。）２灯タイプ・４灯タイプともＬＥＤの個数の違いだけで、それ以外の構造は全く同じである。（２灯タイプでは、ＬＥＤが上下または左右の内側一組だけとなる。）
【符号の説明】
【００２１】１          両面照射ＬＥＤランプユニット
２          ＬＥＤ光源
３          凸面のリフレクタ
４          電源コード
【図１】
0003182727.tif 000003
(57)【要約】      （修正有）【課題】飛翔時に直線的な飛翔姿勢を保つことができ、着水時には倒立しない重心移動ウキを提供する。【解決手段】ウキの前半部に反発材１を収納し、ウエイト２は移動可能なウエイトのみとする。この構造により飛翔時にはウエイト２が反発材１を圧縮して先端側に移動することにより重心は十分に先端側へ移動するため直線的な飛翔姿勢を保つ。そして着水時には反発材１がウエイト２をウキの基部側に押し戻して正常に起立させる重心移動ウキを提供する。【選択図】図２
0003182747.tif 000002
【実用新案登録請求の範囲】
【請求項１】
ウキの内部に円筒状の収納室を設け、その収納室の内径よりも小さい球形又は棒状で金属製のウエイトを１個又は複数個収納し、さらにウエイトよりも先端側に反発材を内挿する構造からなることを特徴とする重心移動ウキ。
【考案の詳細な説明】
【技術分野】
【０００１】
本考案は、倒立防止機能を備えた重心移動ウキに関するものである。
【背景技術】
【０００２】
重心移動ウキはウキに移動可能なウエイトを設けてあり、釣竿を用いて投げると、遠心力により移動可能なウエイトがウキの先端側に移動して図３に示すように直線的な姿勢で飛翔することにより空気抵抗を減らし、より遠くに飛ばすことを目的としている。
【０００３】
従来の重心移動ウキは着水時の倒立防止機能が無いもの、（例えば、特許文献１、特許文献２、特許文献３、特許文献４）または倒立を防止するため重心移動ウキの基部に固定ウエイトを付けているもの（例えば、特許文献５）であった。
【先行技術文献】
【特許文献】
【０００４】
【特許文献１】実開昭５８−７８０７８号公報
【特許文献２】実開昭５９−４４２６６号公報
【特許文献３】実開昭６０−１５３９６６号公報
【特許文献４】実開平２−９６８７３号公報
【特許文献５】実開昭６１−２５７７９号公報
【考案の概要】
【考案が解決しようとする課題】
【０００５】
重心移動ウキは飛翔時に移動可能なウエイトにより重心が先端側に移動しているため、倒立防止機能がないものは図３に示すように直線的な姿勢で飛翔はするが、着水時にウキの先端側から入水して図４に示すように倒立してしまう。
【０００６】
着水時の倒立を防ぐため重心移動ウキの基部に倒立防止用の固定ウエイトを付けたもの（図５は重心移動ウキの基部に固定ウエイトを付けた例を示す）は移動可能なウエイトが先端側に移動しても重心は十分に先端側に移動しないため直線的な飛翔姿勢をとる機能が弱くなる。従って直線的な飛翔姿勢をとる機能を失うことなく、着水時には倒立しない重心移動ウキを考案して前述の問題を解決しようとするものである。
【課題を解決するための手段】
【０００７】
ウキの内部に円筒状の収納室を設け、その収納室の内径よりも小さい球形又は棒状で金属製のウエイトを１個又は複数個収納し、さらにウエイトよりも先端側に反発材を内挿する構造からなることを特徴とする重心移動ウキを提供して課題を解決する。
【考案の効果】
【０００８】
重心移動ウキの基部に倒立防止用の固定ウエイトを設けない構造であるので飛翔時は遠心力により移動可能なウエイトが先端側に移動すると、重心がより先端側に移動することにより直線的な飛翔姿勢を保つことができる。そして着水時には反発材が移動可能なウエイトを重心移動ウキの基部側に押し戻して倒立防止を実現する。
【図面の簡単な説明】
【０００９】
【図１】本考案の重心移動ウキの構造を示す縦断面図である。
【図２】流線型のウキの内部に本考案の構造を収容した様子を示す縦断面図である。
【図３】倒立防止機能が無い重心移動ウキの飛翔時の様子を示す縦断面図である。
【図４】倒立防止機能が無い重心移動ウキが着水した状態を示す縦断面図である。
【図５】倒立防止のため重心移動ウキの基部に固定ウエイトを付けた例を示す縦断面図である。
【考案を実施するための形態】
【００１０】
この考案の実施形態を、図１に示す。
反発材１はスポンジまたはコイルバネ等の軽量な材質のものである。移動可能なウエイト２は収納室７の内径より小さく、球形又は棒状で鉛、銅、錫等の金属製とする。ウキ本体３は樹脂製である。
【００１１】
ウキ本体３の内部に収納室７を設けて、ここに移動可能なウエイト２を収納し、さらに移動可能なウエイト２より先端側に前記収納室の少なくとも１／２の長さの反発材１を内挿した構造となっている。尚ここで収納室７とはウキ本体３の内部に反発材１及び移動可能なウエイト２を収納するための円筒状の空間である。
【００１２】
本考案の重心移動ウキを釣竿を用いて投げると、遠心力により移動可能なウエイト２が反発材１を圧縮しながら収納室７の先端側に移動することにより重心移動ウキの重心が先端側に移動して直線的な飛翔姿勢を保つ。
【００１３】
重心移動ウキが着水して遠心力が消滅すると、反発材１が移動可能なウエイト２を収納室７の基部側に押し戻す。移動可能なウエイト２が収納室７の基部側に移動するとウキ本体３が基部側を下にして傾斜する。この傾斜により移動可能なウエイト２は収納室７の基部側の端まで移動する。移動可能なウエイト２の移動に伴い重心がウキ本体３の基部側に移り、倒立することなく正常に起立する。
【実施例１】
【００１４】
本考案の重心移動ウキは図１に示すような円筒状の形態のままでも実施可能である。しかし外観を良くするため図２に示すように流線型のウキの内部に円筒状の本考案の構造を収容する形態も可能である。
【実施例２】
【００１５】
収納室７の径を小さくする必要がある場合は、その内径よりも小さくした移動可能なウエイト２を複数個収納する形態も可能である。
【符号の説明】
【００１６】
１  反発材
２  移動可能なウエイト
３  ウキ本体
４  ミチ糸
５  固定ウエイト
６  ミチ糸等の連結部
７  収納室
８  空間
【図１】
0003182747.tif 000003
【図２】
0003182747.tif 000004
【図３】
0003182747.tif 000005
【図４】
0003182747.tif 000006
【図５】
0003182747.tif 000007
(57)【要約】      （修正有）【課題】首の後で誰でも容易に開閉操作できる、操作性に優れた装身具用連結具を提供する。【解決手段】ネックレス等の装身具５０を取り付けるとともにその中央部分１０ａをほぼＵ字形状とするとともに連結ピンの軸受け穴を有する第１の連結部材１０と、ほぼ中央部分２０ａに連結ピンを介して第１の連結部材１０と対になって係合するための孔を設けた第２の連結部材２０と、第１の連結部材１０と第２の連結部材２０とを一定状態に維持するように付勢するねじりコイルばねとを備えたことを特徴とする。【選択図】図１
0003182741.tif 000002
【実用新案登録請求の範囲】
【請求項１】
ネックレス等の装身具５０を取り付けるとともにその中央部分１０ａをほぼＵ字形状とするとともに連結ピン４０の軸受け穴を有する第１の連結部材１０と、ほぼ中央部分２０ａに連結ピン４０を介して前記第１の連結部材１０と対になって係合するための孔２１を設けた第２の連結部材２０と、前記第１の部材１０と前期第２の部材２０とを一定状態に維持するように付勢するねじりコイルばね３０とを備えたことを特徴とする装身具用連結具。
【考案の詳細な説明】
【技術分野】
【０００１】  この考案は、ネックレスやブレスレット、アンクレット等のチェーンや紐類を用いた装身具を連結するための装身具用連結具に関する。
【背景技術】
【０００２】  従来、この種の装身具用連結具として代表されるものに図４に示すような引輪と呼ばれる連結具が知られている。この引輪方式の連結具は、リング状の中空パイプ６１の断続部分６２にこの中空パイプ６１内を進退するピン６３を設けている。このピン６３は指の爪で開閉操作するための小さな突起状のレバー６４を持っている。そして中空パイプ６１内に設けたコイルばね（図示せず）でピン６３を常に閉状態を維持する構造としている。
しかし、ネックレス６５等の装身具の連結具であるため全体的な美観性を維持するため、前記のピン６３、レバー６４は非常に小さな構造となっている。従って、このような装身具用連結具を首の後ろ等で操作することは手間がかかった。また、この種の連結具は、指の爪を利用しなければスムーズに開閉操作を行うことが困難であった。特に高齢者やネイルチップ等によるつけ爪をしている者には開閉操作の困難性を一層高めていた。【０００３】  また、この種の引輪方式の連結具の改良に関するアイデアが数多く提案されているが、やはり指の爪による開閉操作を余議なくされている（例えば特許文献１参照）。
【先行技術文献】
【特許文献】
【０００４】
【特許文献１】特開２０１２−１８７３３５号公報
【考案の概要】
【考案が解決しようとする課題】
【０００５】  しかしながら、いずれの従来技術においても、引輪と同じような使い方が可能であって、首の後ろで容易に開閉操作できるという、操作性に優れた装身具用連結具は提案されていない。【０００６】  そこで本考案は、首の後ろで誰でも容易に開閉操作できる、操作性に優れた装身具用連結具を提供することを目的とする。
【課題を解決するための手段】
【０００７】      本考案による装身具用連結具は、この目的に鑑み、図１に示すようにネックレス等の装身具５０を取り付けるとともにその中央部分１０ａをほぼＵ字形状とするとともに連結ピン４０の軸受穴を有する第１の連結部材１０と、ほぼ中央部分２０ａに連結ピン４０を介して前記第１の連結部材１０と対になって係合するための孔２１を設けた第２の連結部材２０と、前記第１の部材１０と前期第２の部材２０とを一定状態に維持するように付勢するねじりコイルばね３０とを備えたことを特徴とするものである。
【考案の効果】
【０００８】  したがって、本考案による装身具用連結具は、引輪と同様の使い方が可能であり、首の後ろで容易に操作できるという操作性に優れた装身具用連結具を提供できるという利点がある。また、本考案のような構造とすることにより指の腹側で開閉操作可能となったため、高齢者やつけ爪をしている者にとっても極めて容易に操作できるようになった。
【図面の簡単な説明】
【０００９】
【図１】本考案の装身具用連結具の側面図である。
【図２】（Ａ）は図１の第１の連結部材１０の外観を示す図であり、（Ｂ）は図１の第２の連結部材２０の側面図であり、（Ｃ）は図１の第１の連結部材１０と第２の連結部材２０の開閉動作を行うためのねじりコイルばねの側面図であり、（Ｄ）は図１の第１の連結部材１０と第２の連結部材２０とを回転可能に動作させるための連結ピン４０の側面図である。
【図３】図１に示す装身具用連結具の要部の概略断面図で閉状態を示す。
【図４】従来の引輪方式による装身具用連結具の側面図である。
【考案を実施するための形態】
【００１０】  以下、本考案の装身具用連結具について図面とともに説明する。図１、図２及び図３を参照して本考案による装身具用連結具について説明する。
【００１１】  １０は第１の連結部材である。この第１の連結部材１０のほぼ中央部分１０ａは、断面がほぼＵ字形状になるように構成されており、連結ピン４０を軸受するための穴（図示せず）をＵ字形状の両壁の内側に有している。また、第１の連結部材１０はネックレス等のチェーンなどの装身具５０を取り付けた結合輪１０ｂを有している。
【００１２】  ２０は第２の連結部材であり、第１の連結部材１０と対になって係合して装身具用連結具の外形を構成する。この第２の連結部材２０のほぼ中央部分２０ａには連結ピン４０を挿入するための軸受け孔２１が設けられ、連結ピン４０を介して回転可能な構造となっている。また、この第２の連結部材２０が第１の連結部材１０の結合輪１０ｂ方向と接する側２０ｄは、断面がほぼＵ字形状の溝を有している。
【００１３】  ３０はねじりコイルばねであり、連結ピン４０を介して第１の連結部材１０と第２の連結部材２０とが開状態と閉状態を維持するよう付勢する。
【００１４】  次に、本考案の装身具用連結具の開閉操作について説明する。ネックレス等の装身具５０を装着している状態では、連結具は図１及び図２に示すように閉状態を維持する。そして、ネックレス等の装身具５０を取り付けたり、取り外したりする場合は、第２の連結部材２０のＵ字溝の部分２０ｄを指の腹等で押す。第２の連結部材２０は連結ピン４０を中心に回転し、第１の連結部材１０の第１の先端部分１０ｄに押し当たって止まる。この回転動作によって、第２の連結部材２０の第２の先端部分２０ｃは、第１の連結部材１０の先端部分１０ｃから離れて、開口部を形成する。
【００１５】  そして、この開口部からネックレス等の装身具５０の他端部分５０ａを挿入したり、外したりする開閉操作を容易に行うことができる。
【符号の説明】
【００１６】    １０    第１の連結部材
２０    第２の連結部材
３０    ねじりコイルばね
４０    連結ピン
５０    装身具
【図１】
0003182741.tif 000003
【図２】
0003182741.tif 000004
【図３】
0003182741.tif 000005
【図４】
0003182741.tif 000006
(57)【要約】      （修正有）【課題】小さな突起を多数設け、足裏ツボへのマッサージ効果による疲労軽減とクッション性能を増加した靴の中敷きを提供する。【解決手段】靴の中敷きＡに複数の小さな突起Ｂを付けることで、足裏へのマッサージ効果とクッション性能の増加に役立ち、長時間の靴の使用による足の疲れを少なくすることができる。【選択図】図１
0003182704.tif 000002
【実用新案登録請求の範囲】
【請求項１】
靴の中敷きに多数の小さな突起を設け、歩く際に足裏へのツボ刺激をすることで、マッサージ効果を得られるとともに、クッション性能を増加させる事を特徴とした、マッサージ効果付き、靴の中敷き。
【考案の詳細な説明】
【技術分野】
【０００１】
本考案は、イボイボをつけた靴の中敷きに関するものである。
【背景技術】
【０００２】
ウオーキングシューズや、ビジネスシューズに、指圧効果のある、中敷きは付いていなかった。
【考案の概要】
【考案が解決しようとする課題】
【０００３】
ビジネスシューズや、ウオーキングシューズは、長時間履いていると締め付けによる疲れがあった。本発明は足の裏への、指圧マッサージ効果が、得られ、この課題を解消するためになされたものである。
【課題を解決するための手段】
【０００４】
靴の中敷きに、小さな突起を多数設けることで、足の裏への刺激と、クッション性を増した。
【考案の効果】
【０００５】
普通に歩く際に、体重により、足の裏へのマッサージ効果が得られ、靴の使用による、足の疲れが少なくなる。
【図面の簡単な説明】
【０００６】
【図１】正面図
【符号の説明】
【０００７】
（A）クッション性中敷き
（B）隆起
【図１】
0003182704.tif 000003
(57)【要約】      （修正有）【課題】フレーム式スーツケースにおいて箱体と蓋体の容積を足した容積よりも、より多くの容積にできる構造を有したスーツケースを提供する。【解決手段】蓋体４，５にマチ付きのファスナー２を設置することにより、蓋体の容積が増える構造とする。スーツケースの容積を増やす場合は、ファスナー２を開き、マチを伸ばすことにより拡張できる。【選択図】図１
0003182710.tif 000002
【実用新案登録請求の範囲】
【請求項１】
従来のフレーム式スーツケースの開閉口の横にマチの付いているファスナーを設置することにより、容量を増やすことのできることを特徴とするスーツケース。
【考案の詳細な説明】
【技術分野】
【０００１】  本考案は、フレーム式スーツケースの容量を増やすための容量拡張に関する。
【背景技術】
【０００２】  公知のフレーム式スーツケースは、一般に硬質な合成樹脂等で形成された箱体と、同様に形成された蓋体とを開閉可能に金属フレームを用いて連結することにより構成されている。【０００３】  しかしながら、スーツケース全体は硬質な物質で構成されているが故に、スーツケースを使用する者の想定以上に荷物が増えた際、従来のフレーム式スーツケースは決められた以上の量を収納することができないという欠点があった。
【考案の概要】
【考案が解決しようとする課題】
【０００４】  本考案は、以上のような従来の欠点に鑑み、フレーム式スーツケースの容量を増やす事を目的としている。
【課題を解決するための手段】
【０００５】  上記目的を達成するために、本考案は、マチ付きのファスナーを蓋体に設置することでフレーム式スーツケースの容量拡張を構成している。
【考案の効果】
【０００６】  本考案は、従来のフレーム式スーツケースの容積を増やすという利点がある。
【図面の簡単な説明】
【０００７】
【図１】本考案の斜視図
【図２】容量拡張時のスーツケースの断面図
【実施例】
【０００８】  通常、スーツケースの蓋体、および箱体はそれぞれ１つで構成されているが本考案では蓋体を図１の４、５の２つに分離させている。【０００９】  図１の２はファスナーで、このファスナーはポリプロピレンなど強度があり、軟性のある素材図１の３とで構成されている。また、図１の３は蓋体の図１の４、および５に縫い付けることによって、分離している図１の４，５を連結させている。【００１０】  図１は、スーツケースの容量を増やす前の状態で、容量を増やすためには図１の１のファスナーのつまみをスライドさせることにより、図１の２のファスナーが開くようになっている。【００１１】  図１の２の内側には、スーツケースの内側にマチが設置されてあり、ファスナーを開けることによって図２の１のマチの部分で容量が増える。
【図１】
0003182710.tif 000003
【図２】
0003182710.tif 000004
【手続補正書】
【提出日】平成24年7月20日(2012.7.20)
【手続補正１】
【補正対象書類名】実用新案登録請求の範囲
【補正対象項目名】全文
【補正方法】変更
【補正の内容】
【実用新案登録請求の範囲】
【請求項１】
箱体と蓋体とが開閉自在に金属フレームで連結されたフレーム式スーツケースにおいて、図１の４，５のように、フレーム式スーツケースの蓋体を２つに分離させ、図１の４、５をマチ付きファスナーで連結させるスーツケース。
【請求項２】
請求項１のスーツケースにおいて、マチ付きファスナー図１の２の内側には、スーツケースの内側にマチが設置されてあり、ファスナーを開けることによって図２の１のマチの部分で蓋体の容積が増えるスーツケース。
【手続補正書】
【提出日】平成24年10月23日(2012.10.23)
【手続補正１】
【補正対象書類名】実用新案登録請求の範囲
【補正対象項目名】全文
【補正方法】変更
【補正の内容】
【実用新案登録請求の範囲】
【請求項１】
スーツケースの蓋体に設置された蛇腹状のファスナーを開閉することによって、スーツケース内部に隙間を作り、より多くの荷物を詰め込むことが可能になるフレーム式スーツケース。
【手続補正書】
【提出日】平成25年1月18日(2013.1.18)
【手続補正１】
【補正対象書類名】実用新案登録請求の範囲
【補正対象項目名】全文
【補正方法】変更
【補正の内容】
【実用新案登録請求の範囲】
【請求項１】
箱体と蓋体とが開閉自在に金属フレームで連結されたフレーム式スーツケースにおいて、前記蓋体の開閉口に略平行な面で、前記蓋体を２つに分離させ、マチ付きファスナーで連結させたことを特徴とするスーツケース。
(57)【要約】      （修正有）【課題】まな板本体に、包丁、料理ばさみ、菜箸などを収納できる空洞を設けることで、キッチンのスペースを有効活用できる様になるまな板を提供する。【解決手段】まな板本体Ｂに空洞Ａを設け、包丁、料理ばさみ、菜箸等を収納できる様にすることで、キッチンのスペースの有効活用に役立つ。【選択図】図１
0003182703.tif 000002
【実用新案登録請求の範囲】
【請求項１】
まな板本体に、空洞部分を設け、包丁、料理ばさみ、菜箸などを、キッチンの場所を取らずに、収納できるところを特徴とした調理器具収納可能まな板。
【考案の詳細な説明】
【技術分野】
【０００１】
まな板の、中を空洞にすることにより、包丁、料理ばさみ、菜箸などを、場所をとることなく、収納できる様にしたものである。
【背景技術】
【０００２】
従来は、まな板に、収納できるスペースは無かった。
【考案の概要】
【考案が解決しようとする課題】
【０００３】
まな板とは、別に包丁などを置くスペースがキッチンに必要であったため、キッチンを広く使うことが出来なかった。
【課題を解決するための手段】
【０００４】
まな板の中を空洞にすることにより、包丁や、料理ばさみ、菜箸などを、場所を取らずに、収納できる様にした。
【考案の効果】
【０００５】
料理に必要な、包丁などの料理道具を、場所をとらずに、収納できる。
【図面の簡単な説明】
【０００６】
【図１】斜め４５度から見た図
【符号の説明】
【０００７】
（A）  空洞部分
（B）  まな板本体
【図１】
0003182703.tif 000003
(57)【要約】      （修正有）【課題】弁当箱内部全体に細かな凹凸を大量に設けることで、ご飯の弁当箱内部への、へばりつきを防止した弁当箱を提供する。【解決手段】弁当箱本体Ａ全体、蓋Ｂ天井部分に大量の細かい凹凸Ｃを設け、ご飯と弁当箱内部との接点を減らすことで、ご飯の弁当箱へのへばりつきを無くすことができる。【選択図】図１
0003182705.tif 000002
【実用新案登録請求の範囲】
【請求項１】
弁当箱内部全体に、細かな凹凸を大量に設けることで、ご飯との接点を減らし、ご飯のへばりつきを無くしたところを特徴とする弁当箱。
【考案の詳細な説明】
【技術分野】
【０００１】
本発明は、弁当箱の内部全体に、細かな凹凸を設け、ご飯がくっつかなくしたものである。
【背景技術】
【０００２】
従来は、弁当箱の内側全体や蓋部分に、ご飯がくっついて食べにくかった。
【考案の概要】
【考案が解決しようとする課題】
【０００３】
弁当箱の内側全体や、蓋部分にご飯が、へばりつく難点があった。本発明は、この課題を解消するためになされたものである。
【課題を解決するための手段】
【０００４】
弁当箱内部全体に、細かい凹凸を作る事で、ご飯粒との接点を減らし、ご飯が、へばりつかないようにした。
【考案の効果】
【０００５】
弁当箱内部全体や、蓋部分にご飯がへばりつかず、食べやすくなった。
【図面の簡単な説明】
【０００６】
【図１】断面図（A）本体（B）蓋（C）細かい凹凸
【符号の説明】
【０００７】
（A）本体（B）蓋（C）細かい凹凸
【図１】
0003182705.tif 000003
(57)【要約】【課題】  設置に土木的作業の少なくて設置形状の自由度簡便度の高い階段設備を提供する。【解決手段】  鎖に段形状物を取り付ける。取り付け方法はコの字型の段形状物の上板（人の足を乗せる部分）２の左右両端に開けた穴を通してボルトとナットで鎖及び地面に固着し、段形状物の下板（谷側地面に接地する部分）４に開けた穴を通してボルトとナットで地面に固着する。土木的作業が少なく施工が簡便であり全体としての階段設備形状の自由度簡便度が高い。部品も一般的なものであるので入手しやすい。【選択図】図１
0003183474.tif 000002
【実用新案登録請求の範囲】
【請求項１】
鎖に段形状物を取り付けたことを特徴とする階段設備。
【請求項２】
前記段形状物は長方形の板の端をコの字型に折り曲げたものであって、上板の左右の端および下板の左右の端に、鎖及び地面への固着用のボルトを通すための穴を有していることを特徴とする請求項１記載の階段設備。
【考案の詳細な説明】
【技術分野】
【０００１】  本考案は、野外の傾斜地に設置する階段設備に関する。
【背景技術】
【０００２】  野外階段は斜面の土を階段状に整形し崩れ止めする方法や石段・コンクリート段の設置が通常である。あるいは全体として蛇腹状の階段を斜面に鋼棒で取り付け障害物を避ける場合に座金をかませることによりステップをずらしていくものがある。（特許文献１参照）
【先行技術文献】
【特許文献】
【０００３】
【特許文献１】  特開２０００−２２０１４６公報
【考案の概要】
【考案が解決しようとする課題】
【０００４】  しかしながら、以上の技術によれば、大型の重機の持ち込みを要するなど施工に大いに困難や労力を伴なったり、あるいは障害物を避ける自由度が低いなどの難点があった。
そこで、この考案は、地形に応じて容易に取り付けることができ、障害物を避ける自由度、簡便度も高い階段設備を提供することを課題とする。
【課題を解決するための手段】
【０００５】本考案は以下の特徴を有する。鎖に段形状物を取り付けたことを特徴とする。前記段形状物は長方形の板の端をコの字型に折り曲げたものであって、上板の左右の端および下板の左右の端に、鎖及び地面への固着用のボルトを通すための穴を有していることを特徴とする。
【考案の効果】
【０００６】  地面そのものと関係する土木的作業が、鎖の一端の地面への固着及び段形状物のボルトとナットによる地面への固着に限られ、施工作業が少なくてすむ。また階段全体の形状の自由度も高い。
【図面の簡単な説明】
【０００７】
【図１】  この考案の一実施形態を示す斜視図である。
【図２】  この考案の一実施形態を示す側面図である。
【考案を実施するための形態】
【０００８】  本考案を図面を用いて説明する。図１は、鎖上端部固着のためのコンクリート基礎等１にその一端が固定され斜面下方向に垂らされた鎖及び地面に段形状物がボルト・ナット３により固着され、地面に段形状物がボルト・ナット５により固着された様子を表した図面である。
つまり斜面上部に当たる地面にその一端を固着された鎖を２本斜面に沿って垂らす。この鎖は階段設備の設置全体の形状を先導する役目を果たし、鎖の性質上ゆるいカーブ状にすることも可能である。長方形の板の先端をコの字型に折り曲げることにより段形状物を作成する。その各個独立した前記段形状物の上板（人の足を乗せる部分）２の左右両端に穴を開け、その穴と前記鎖の環を貫通するボルトとナット３により段形状物と鎖及び地面を固着する。さらに段形状物の下板（谷側地面に接地する部分）４の左右両端に穴を開け、その穴を貫通し先端が地面に埋め込まれたボルトとナット５により段形状物と地面を固着する。固着する際ボルトやナットの位置を調整して段形状物の上面が水平となり且つなるべく段差が均一となるようにする。
また段形状物は上板と下板の間隔が異なるものを数種類用意し斜面の緩急に合わせて適切なものを選択使用する。
【符号の説明】
【０００９】１  鎖上端部固着のためのコンクリート基礎等
２  段形状物の上板（人の足を乗せる部分）
３  段形状物と鎖を固着するボルト・ナット
４  段形状物の下板（谷側地面に接地する部分）
５  段形状物と地面を固着するボルト・ナット
【図１】
0003183474.tif 000003
【図２】
0003183474.tif 000004
(57)【要約】      （修正有）【課題】外部からの電力供給および電池交換を不要とした、可搬式電気メガホンを提供する。【解決手段】可搬式電気メガホンの筐体１上部に太陽光パネル２を装備し、光をエネルギーとして発電された電力を電源として使用する。内部に蓄電池を装備することで、電気メガホンを使用しないときや余剰電力が発生したときに蓄電しておき、電力が不足したときは蓄電された電力を給電することで、電力不足により使用不能になることを防止し、可用性を高める。さらに、有線式のマイクロホン３と、角型のスピーカー４を装備する。ボリュームスイッチ５は、電源と音量のコントロールを行う機能を持つ。【選択図】図１
0003183472.tif 000002
【実用新案登録請求の範囲】
【請求項１】
可搬式の電気メガホンで、太陽光パネルと蓄電池を組み合わせて装備し、左記電気メガホンの電源としたもの。
【考案の詳細な説明】
【技術分野】
【０００１】  本考案は、電気メガホンに関する考案である。
【背景技術】
【０００２】  メガホンの電源に関する発明には、特許文献１の手回し発電機付きメガホンが知られる。【０００３】  太陽光発電に関する実用新案で、移動式の機器に太陽光パネルを搭載したものには、特許文献２・特許文献３のような、携帯電話やノートパソコンに太陽光パネルを搭載したものが知られる。
【先行技術文献】
【特許文献】
【０００４】
【特許文献１】  特開２００８−１８７４０１（Ｐ２００８−１８７４０１Ａ）公報
【特許文献２】  実用新案登録第３１５０２２１号公報
【特許文献３】  実用新案登録第３１５９５００号公報
【非特許文献】
【０００５】  なし
【考案の概要】
【考案が解決しようとする課題】
【０００６】  既存の可搬式電気メガホンの大部分は、乾電池を電源としており、乾電池が切れると乾電池を交換する必要があるが、廃棄された乾電池が廃棄物となる、費用がかかる、災害時に乾電池の入手が困難となりうるという。問題があった。
【課題を解決するための手段】
【０００７】  可搬式電気メガホンに太陽光パネルを装備し、太陽光を電力に変換することで乾電池の交換や外部からの電力供給を不要にする。【０００８】  可搬式電気メガホンに蓄電池を装備し、使用していないときや負荷が小さいときに余剰な電力を蓄電しておくことで、日陰や夜間の使用を可能にする。
【考案の効果】
【０００９】  通常時は太陽光パネルで発電された電気を蓄電池に蓄え、必要な時に必要な場所に速やかに移動して使用することを可能にする。蓄電池を装備しているため、日陰や夜間の使用も可能である。電池交換を不要とすることで環境にも貢献し、電池の入手が困難な災害時にも有用である。
【図面の簡単な説明】
【００１０】
【図１】本考案実施例を斜めから見た外観図である。
【図２】主要な部品の配置を示した透視図である。
【図３】本考案実施例の、電線の結線および電力・信号の流れを示した模式図である。
【考案を実施するための形態】
【００１１】  考案を実施するための最も望ましい形態について、以下の実施例と図面で、詳細に述べる。
【実施例】
【００１２】  図１は、本考案実施例を斜めから見た全体図である。筐体１の上部に太陽光パネル２を装備し、有線式のマイクロホン３と、角型のスピーカー４を装備する。ボリュームスイッチ５は、電源と音量のコントロールを行う機能を持つ。【００１３】  本考案では可搬式の電気メガホンを想定しているため、本実施例においては、長さ調節可能な肩掛けベルト６を装着している。本実施例はメガホンを可搬式としている一例であり、手で持つ、担ぐ、背負う、体に固定する等の方法により、人力で運搬できるメガホンであれば、全て保護の対象である。【００１４】  図２は、本実施例における、主要な部品の配置を示した配置図である。有線式のマイクロホン３は取り外されている。なお、マイクロホンの種類は有線式、無線式、内臓式の種別は問わない。【００１５】  本実施例においては、筐体１の上部に平面の太陽光パネル２を配置し、太陽光を効果的に受けられる構造としている。また、中央に蓄電池７を配置し、スピーカー４の反対側、ボリュームスイッチ５の近くに増幅装置８と、充電制御装置９を配置している。このことで全体の重量バランスの均等化を図り、肩掛けベルト６を使用しての運搬を容易にしている。【００１６】  図３は、内部の配線と電力および信号の流れを示した模式図である。太陽光パネル２で発電された電力は、充電制御装置９を介して蓄電池７に蓄電される。充電制御装置９は、過充電や過放電を防止する機能や、過電流や温度上昇時に通電を停止する機能も持っている。【００１７】  本実施例では、太陽光パネル２の発電能力は定格１０Ｗで、増幅装置８の平均消費電力も１０Ｗ程度を想定している。このため通常時は太陽光パネル２で発電された電力が増幅装置８に送られるが、日陰や夜間で電力不足に陥った時は、蓄電池７の電力が増幅装置８に送られるため、停電することなく使用を続けることができる。蓄電池７の容量は、夜間の避難誘導で連続的に使用することを想定し、１２時間程度の使用を可能とした容量が望ましい。【００１８】  増幅装置８に接続されたマイクロホン３で音声を電気信号に変換し、増幅装置８で増幅を行った後にスピーカー４で音を発生させる機能は通常の電気メガホンと変わりは無い。ボリュームスイッチ５は増幅装置８の電源と音量をコントロールする。
【産業上の利用可能性】
【００１９】  電池交換を不要としていることから、メガホン用の電池を備蓄する必要がなくなり、電池交換のために使用を停止する必要がなくなるなど、一刻を争う災害現場では、使用上のメリットは非常に大きい。特に東日本大震災のような大規模災害で避難誘導や情報提供にメガホンを必要とし、乾電池の入手が困難になった状況では極めて大きな優位性を発揮する。また、学校行事やスポーツ大会等での使用が想定される。さらに選挙立候補者などが街頭演説で使用することが予想される。
【符号の説明】
【００２０】１  筐体
２  太陽光パネル
３  マイクロホン
４  スピーカー
５  ボリュームスイッチ
６  肩掛け紐
７  蓄電池
８  増幅装置
９  充電制御装置
【図１】
0003183472.tif 000003
【図２】
0003183472.tif 000004
【図３】
0003183472.tif 000005